(57)【要約】【課題】水抜栓の状態を外部から容易に目視できる操作部を有する水抜栓を提供することである。【解決手段】外套管の上端に配置され、水抜栓の状態を目視するための操作部を備え、操作部が、透明又は半透明な材料で全体又は側面の少なくとも一部が形成された本体と、本体内に収容され、上端に操作用のハンドルが取り付けられた第１スピンドルと、本体内に収容され、第１スピンドルの外面の雄ねじと噛み合う雌ねじが内面に設けられ、中シャフトを介してピストンに連結された第２スピンドルとを有し、第２スピンドルが、第１スピンドルの回転時に共に回転せずに上下動するように構成されており、ハンドルを回すと第２スピンドルが上下動し、本体を通して第２スピンドルの上端を目視することにより、水抜栓の状態を把握するように構成されている水抜栓。【選択図】  図１
2015151756.tif 000002
【特許請求の範囲】
【請求項１】
水道管が接続され、排水弁が取付けられた下部本体と、下部本体に接合された外套管と、下部本体内に収容されたピストンとを備えた水抜栓において、
前記外套管の上端に配置され、水抜栓の状態を目視するための操作部をさらに備え、
前記操作部が、透明又は半透明な材料で全体又は側面の少なくとも一部が形成された本体と、少なくとも一部が前記本体内に収容され、上端に操作用のハンドルが取り付けられた第１スピンドルと、前記本体内に収容され、前記第１スピンドルの外面の雄ねじと噛み合う雌ねじが内面に設けられ、中シャフトを介して前記ピストンに連結された第２スピンドルとを有し、
前記第２スピンドルが、前記第１スピンドルの回転時に共に回転せずに上下動するように構成されており、
前記ハンドルを回して給水状態又は水抜き状態にすると、前記第２スピンドルが上下動し、前記本体を通して前記第２スピンドルの上端を目視することにより、水抜栓の状態を把握するように構成されていることを特徴とする水抜栓。
【請求項２】
第１スピンドルの回転時に共に回転せずに上下動する第２スピンドルの前記構成が、前記本体の内面と前記第２スピンドルの外面に共回り防止用の面取り部を設けること、或いは前記本体の内面と前記第２スピンドルの外面をｎ角形（ｎ≧３）に形作ることであることを特徴とする請求項１に記載された水抜栓。
【請求項３】
前記本体の側面に水抜栓の状態を判断するための基準線が設けられており、或いは前記第２スピンドルの全体又は上端部が着色されていることを特徴とする請求項１又は２に記載された水抜栓。
【発明の詳細な説明】
【技術分野】
【０００１】
本発明は、給水状態であるか水抜状態であるかを外部から目視できる操作部を備えた水抜栓に関する。
【背景技術】
【０００２】
寒冷地においては、水道管の凍結を防止するため、一般的には凍結深度以下の地中に、水抜栓が設置されている。そして、水抜栓を操作することにより、給水状態から水抜状態に移行させて配管内の水を排出し、水道管内の水が凍結しないようにしている。
【０００３】
このような水抜栓は、種々の型式のものが開発され市販されているが、頂部に設けられたハンドルを回すことによって水抜栓を操作するように構成されているものが一般的である。
【発明の概要】
【発明が解決しようとする課題】
【０００４】
しかしながら、このようなハンドル操作式の水抜栓では、操作に応じてハンドル自体は上下動する（給水状態では、図６（ａ）に示されるように、ハンドルが上昇した状態になり、水抜状態では、図６（ｂ）に示されるように、ハンドルが下降した状態になる）が、水抜栓の状態（給水状態であるか水抜状態であるか）を判断するには実際に操作してみなければならず、水抜栓の状態を目視で判断するのは困難であるため、取り扱いが厄介であるという課題があった。
【０００５】
本発明は、このような状況に鑑みて開発されたものであって、水抜栓の状態を外部から容易に目視できる操作部を備えた水抜栓を提供することを目的としている。
【課題を解決するための手段】
【０００６】
本願請求項１に記載の水抜栓は、外套管の上端に配置され、水抜栓の状態を目視するための操作部を備え、操作部が、透明又は半透明な材料で全体又は側面の少なくとも一部が形成された本体と、少なくとも一部が本体内に収容され、上端に操作用のハンドルが取り付けられた第１スピンドルと、本体内に収容され、第１スピンドルの外面の雄ねじと噛み合う雌ねじが内面に設けられ、中シャフトを介して前記ピストンに連結された第２スピンドルとを有し、第２スピンドルが、第１スピンドルの回転時に共に回転せずに上下動するように構成されており、ハンドルを回して給水状態又は水抜き状態にすると、第２スピンドルが上下動し、本体を通して第２スピンドルの上端を目視することにより、水抜栓の状態を把握するように構成されていることを特徴とするものである。
【０００７】
本願請求項２に記載の水抜栓は、前記請求項１の水抜栓において、第１スピンドルの回転時に共に回転せずに上下動する第２スピンドルの構成が、本体の内面と第２スピンドルの外面に共回り防止用の面取り部を設けること、或いは本体の内面と第２スピンドルの外面をｎ角形（ｎ≧３）に形作ることであることを特徴とするものである。
【０００８】
本願請求項３に記載の水抜栓は、前記請求項１又は２の水抜栓において、本体の側面に水抜栓の状態を判断するための基準線が設けられており、或いは第２スピンドルの全体又は上端部が着色されていることを特徴とするものである。
【発明の効果】
【０００９】
本発明の水抜栓によれば、透明又は半透明の本体を通して第２スピンドルの上端を目視することにより、水抜栓が給水状態であるか水抜状態であるかを容易に判断することができる。また、本発明の水抜栓の操作部は、構造が簡単であるため、低コストで提供することができ、故障が少なくメンテナンスも容易である。
【図面の簡単な説明】
【００１０】
【図１】給水状態における本発明の好ましい実施の形態に係る水抜栓の全体を示した断面図である。
【図２】図１の部分２の拡大断面図である。
【図３】水抜状態における本発明の好ましい実施の形態に係る水抜栓の全体を示した断面図である。
【図４】図３の部分４の拡大断面図である。
【図５】図２の線５−５に沿って見た断面図であって、第１スピンドルの回転時に第２スピンドルを回転させずに上下動させる構成の具体例を示した図である。
【図６】従来のハンドル操作式の水抜栓の頂部を示した図であって、図６（ａ）は給水状態、図６（ｂ）は水抜状態を示したものである。
【発明を実施するための形態】
【００１１】
次に、図面を参照して、本発明の好ましい実施の形態について詳細に説明する。図１は、本発明の操作部を備えた給水状態の水抜栓の全体を示した断面図、図３は、本発明の操作部を備えた水抜状態の水抜栓の全体を示した断面図である。図１および図３において全体として参照符号１０で示される本発明の好ましい実施の形態に係る水抜栓は、下部本体１２と、下部本体１２の上端にねじ接合された外套管１４とを備えている。なお、図１および図３において、下部本体１２は、上半部分１２ａと、下半部分１２ｂの２つの部分から形成されているが、一体物として形成してもよい。
【００１２】
下部本体１２内には、ピストン１６が収容されている。ピストン１６は、長さ方向に延び、ピストン１６の下端で開放した縦孔１６ａと、ピストン１６の上部に設けられ、縦孔１６ａと連通するように側方に延び側面で開放した横孔１６ｂとを有している。ピストン１６には、その略中央部に、他の部分１６ｄよりも直径が小さい縮径部１６ｃが形成されており、ピストン１６の縮径部１６ｃの上方と下方の箇所、および横孔１６ｂの上方および下方の箇所にパッキン１６ｅがそれぞれ装着されている。また、下部本体１２の上方には、給水口１８が設けられている。
【００１３】
下部本体１２の側方の一方の側には、水道管（図示せず）に接続するための水道管接続部２０が設けられ、水道管接続部２０と下部本体１２との間には、水道管接続部２０および下部本体１２と連通するように、弁室２２が設けられている。そして、弁室２２内には、止水弁２４が配置されており、止水弁２４の先端部２４ａがガイド部２６に沿って移動することにより、止水弁２４を、実質的に水平な方向に移動させるようになっている。
【００１４】
下部本体１２の側方の他方の側には、水抜き時に下部本体１２内の水を排出し、外部からの汚水が下部本体１２内に流入するのを阻止するための排水弁２８が取付けられている。排水弁２８は、排水弁ボール受け２８ａと、下部本体１２と一体に形成された排水弁ボール受け取付部２８ｂとを有している。排水弁ボール受け２８ａには、横断方向に貫通した横孔２８ａ１と、横孔２８ａ１と連通するように垂直方向上方に延び、排水弁ポール受け２８ａの上端で開口し、給水時に排水弁ボール２８ｃが着座する縦孔２８ａ２とが形成されている。排水弁ボール受け取付部２８ｂは、内面に雌ねじが形成され、排水弁ボール受け２８ａがねじ込まれる取付孔２８ｂ１と、排水弁ボール受け２８ａがねじ込まれたとき、横孔２８ａ１と下部本体１２とを連通させるための連通孔２８ｂ２と、排水弁２８の外部に開口した外部孔２８ｂ３とを有している。
【００１５】
以上の水抜栓１０の下部本体１２、水道管接続部２２、止水弁２４、および排水弁２８の構造自体は、公知のものである。
【００１６】
本発明の水抜栓１０は、外套管１４の上端に配置され、水抜栓１０の状態（すなわち、給水状態であるか水抜状態であるか）を目視するための操作部３０を備えている。
【００１７】
操作部３０は、上端が閉鎖された筒状の形状をもち、透明又は半透明な材料で全体又は側面の少なくとも一部が形成された本体３２を有している。本体３２は、ユニオン本体３４ａおよびユニオンナット３４ｂを介して、外套管１４の上端に接合されている。本体３２を形成する材料は、公知の樹脂材料（例えば、ポリエチレン、ポリプロピレン）のような任意の材料を使用してよい。
【００１８】
操作部３０はまた、少なくとも一部が本体３２内に収容され、上端に操作用のハンドル３８が取り付けられた第１スピンドル３６と、図２および図４に最も良く示されるように、本体３４内に収容され、第１スピンドル３６の外面の雄ねじ３６ａと噛み合う雌ねじ４０ａが内面に設けられた第２スピンドル４０とを有している。
【００１９】
第２スピンドル４０は、第１スピンドル３６の回転時に共に回転せずに上下動するように構成されている。このような構成は、例えば、本体３２の内面と第２スピンドル４０の外面に共回り防止用の面取り部３２ａ、４０ａを設けたり（図５（ａ）参照）、本体３２の内面と第２スピンドル４０の外面をｎ角形（ｎ≧３）にする（図５（ｂ）参照）ことによって実現される。また、第２スピンドル４０は、中シャフト吊り４２を介して、下端がピストン１６の上端に連結された中シャフト４４に接続されている。これにより、ハンドル３８を回すことにより、第１スピンドル３６を回転させ、第２スピンドル４０を上下動させて、下部本体１２内のピストン１６を昇降させることができる。
【００２０】
以上のように構成された水抜栓１０の作動について説明する。給水しようとする場合は、ハンドル３８を一方向に回す。すると、ハンドル３８と一体の第１スピンドル３６も同一方向に回転して、第１スピンドル３６の外面の雄ねじ３６ａと噛み合っている第２スピンドル４０が上昇する。これにより、中シャフト吊り４２および中シャフト４４を介してピストン１６が上昇し、ピストン１６の先端に設けられた大径部１６ｄによって止水弁２４の先端部２４ａが水圧に抗して水道管の方へ（図１において左方に）押付けられるため、水道管と給水口１８が連通し給水される。このような給水状態は、操作部３０の本体３２を通して、第２スピンドル４０の上端が上昇していることを目視することにより、容易に把握することができる。
【００２１】
一方、水抜きしようとする場合は、ハンドル３８を反対方向に回す。すると、ハンドル３８と一体の第１スピンドル３６も同一方向に回転して、第１スピンドル３６の外面の雄ねじ３６ａと噛み合っている第２スピンドル４０が下降する。これにより、中シャフト吊り４２および中シャフト４４を介してピストン１６が下降し、止水弁２４が水圧によって下部本体１２の中心の方へ（図３において右方に）押付けられパッキン１６ｅと下部本体１２の内部のシート面とが接触するため水流が遮断されるとともに、ピストン１６の縦孔１６ａ、横孔１６ｂを介して給水口１８と排水弁２８が連通し、これにより給水口１８以降の水が排水弁２８から排出される。このような水抜状態は、操作部３０の本体３２を通して、第２スピンドル４０の上端が下降していることを目視することにより、容易に把握することができる。
【００２２】
本発明は、以上の発明の実施の形態に限定されることなく、特許請求の範囲に記載された発明の範囲内で、種々の変更が可能であり、それらも本発明の範囲内に包含されるものであることはいうまでもない。
【００２３】
好ましくは、水抜栓１０の状態を判断するための基準線３２ａを本体３２の側面に設けてもよい。すなわち、給水状態において第２スピンドル４０の上端が位置する高さを示す基準線３２ａを本体３２の側面に設け、第２スピンドル４０の上端が基準線３２ａに一致しているときは給水状態と判断するようにしてもよい。
【００２４】
また、好ましくは、第２スピンドル４０を目視し易いように、第２スピンドル４０の全体又は上端部を着色してもよい。
【００２５】
なお、前記実施の形態および図面に示された止水弁２４、排水弁２８などの形状や構成は一例にすぎない。
【符号の説明】
【００２６】
１０  水抜栓
１２  下部本体
１４  外套管
１６  ピストン
１８  給水口
２０  水道管接続部
２２  弁室
２４  止水弁
２６  ガイド部
２８  排水弁
２８ａ  排水弁ボール受け
２８ｂ  排水弁ボール受け取付部
２８ｃ  排水弁ボール
３０  操作部
３２  本体
３２ａ  基準線
３６  第１スピンドル
３８  ハンドル
４０  第２スピンドル
４２  中シャフト吊り
４４  中シャフト
【図１】
2015151756.tif 000003
【図２】
2015151756.tif 000004
【図３】
2015151756.tif 000005
【図４】
2015151756.tif 000006
【図５】
2015151756.tif 000007
【図６】
2015151756.tif 000008